(57)【要約】【課題】配線ダクト等から被測定導体を引っ張り出す作業を軽減または不要とすることができ、電流の測定作業を容易に進めることができる電流測定装置を提供する。【解決手段】１対の挟持部１１ａが、被測定導体１を挟むよう設けられ、閉まる方向に付勢されている。１対の把持部１１ｂが、互いの距離に応じて、各挟持部１１ａの距離を変更可能に設けられている。電流測定用磁電変換素子１２が、各挟持部１１ａのいずれか一方または双方に設けられている。距離測定部１３が、各挟持部１１ａの距離に対応する物理量として、各把持部１１ｂの距離に対応する物理量を測定可能に設けられている。各挟持部１１ａで被測定導体１を挟んだとき、電流計算手段１５が、電流測定用磁電変換素子１２で検出された磁界および距離測定部１３で測定された物理量に基づいて、被測定導体１を流れる電流を求めるよう設けられている。【選択図】図１
2018146406.tif 000002
【特許請求の範囲】
【請求項１】
被測定導体を挟むよう設けられた１対の挟持部と、
各挟持部のいずれか一方または双方に設けられた電流測定用磁電変換素子と、
各挟持部の距離に対応する物理量を測定可能に設けられた距離測定部と、
各挟持部で前記被測定導体を挟んだとき、前記電流測定用磁電変換素子で検出された磁界および前記距離測定部で測定された前記物理量に基づいて、前記被測定導体を流れる電流を求めるよう設けられた電流計算手段とを
有することを特徴とする電流測定装置。
【請求項２】
互いの距離に応じて、各挟持部の距離を変更可能に設けられた１対の把持部を有し、
各挟持部は閉まる方向に付勢されており、
前記距離測定部は、前記物理量として、各把持部の距離に対応する物理量を測定可能に設けられていることを
特徴とする請求項１記載の電流測定装置。
【請求項３】
前記距離測定部は、一方の把持部に設けられた磁石と、前記磁石による磁界を検出可能に他方の把持部に設けられた距離測定用磁電変換素子とを、有することを特徴とする請求項２記載の電流測定装置。
【請求項４】
前記電流計算手段は、前記電流測定用磁電変換素子で検出された磁界に基づいて求めた電流値を、前記距離測定部で測定された前記物理量に基づいて求めた補正値で補正することにより、前記被測定導体を流れる電流を求めるよう構成されていることを特徴とする請求項１乃至３のいずれか１項に記載の電流測定装置。
【発明の詳細な説明】
【技術分野】
【０００１】
本発明は、電流測定装置に関する。
【背景技術】
【０００２】
従来、導体を流れる電流を非接触で測定する装置として、Ｃ型の磁気コアと、磁気コアの開口部に挟むようにして配置されたホール素子などの磁電変換素子とを有し、磁気コアの内側に配置された被測定導体を流れる電流により発生する磁界を磁気コアで捕捉し、磁界コアの端面での磁界強度を磁電変換素子で検出して測定を行うクランプ式の電流センサがある（例えば、特許文献１または２参照）。
【０００３】
また、Ｃ型の磁気コアの開口部をオープンにした状態で、その開口部の両端面にそれぞれ磁電変換素子を取り付けて構成されており、開口部を通して磁気コアの内側に被測定導体を挿入して測定を行うＵ字型の電流センサもある（例えば、特許文献３参照）。
【先行技術文献】
【特許文献】
【０００４】
【特許文献１】特開２０１０−１２２１５０号公報
【特許文献２】特開２０００−１８０４７５号公報
【特許文献３】特開２００２−５９６７号公報
【発明の概要】
【発明が解決しようとする課題】
【０００５】
複雑な配線が配線ダクト内に収納された配電盤等において、各配線の電流測定を行う場合、特許文献１や２に記載のクランプ式電流センサでは、測定する配線（被測定導体）をダクト内から探し出した後、磁気コアの内側に配置するために、その配線をある程度引っ張り出す必要があり、各配線の測定作業が繁雑になるという課題があった。また、特許文献３に記載のＵ字型電流センサでは、所定の精度で電流を測定するために、磁気コアの内側の最奥部に配線を押し付けなければならず、やはり測定する配線（被測定導体）をある程度引っ張り出す必要があり、各配線の測定作業が繁雑になるという課題があった。
【０００６】
本発明は、このような課題に着目してなされたもので、配線ダクト等から被測定導体を引っ張り出す作業を軽減または不要とすることができ、電流の測定作業を容易に進めることができる電流測定装置を提供することを目的としている。
【課題を解決するための手段】
【０００７】
上記目的を達成するために、本発明に係る電流測定装置は、被測定導体を挟むよう設けられた１対の挟持部と、各挟持部のいずれか一方または双方に設けられた電流測定用磁電変換素子と、各挟持部の距離に対応する物理量を測定可能に設けられた距離測定部と、各挟持部で前記被測定導体を挟んだとき、前記電流測定用磁電変換素子で検出された磁界および前記距離測定部で測定された前記物理量に基づいて、前記被測定導体を流れる電流を求めるよう設けられた電流計算手段とを有することを特徴とする。
【０００８】
本発明に係る電流測定装置は、各挟持部で被測定導体を挟むことにより、被測定導体を流れる電流を測定することができる。本発明に係る電流測定装置は、各挟持部で被測定導体を挟んだとき、各挟持部のいずれか一方または双方に設けられた電流測定用磁電変換素子により、被測定導体を流れる電流により発生する磁界を検出することができる。しかし、通常の測定対象となる電線のように被覆された被測定導体では、導体の太さや被覆の厚みが異なるため、その導体の太さや被覆の厚みに応じて、被測定導体と電流測定用磁電変換素子との距離が変化する。この距離の変化のため、検出される磁界の強さが変化してしまう。そこで、本発明に係る電流測定装置は、被測定導体と電流測定用磁電変換素子との距離は、各挟持部の距離と相関があると考えられるため、距離測定部により各挟持部の距離に対応する物理量を測定し、その物理量に基づいて、電流計算手段により、電流測定用磁電変換素子で検出した磁界から求められる電流値等を補正することにより、被測定導体を流れる電流を精度良く求めることができる。
【０００９】
本発明に係る電流測定装置は、各挟持部で被測定導体を挟むだけで、被測定導体を流れる電流を測定することができる。このため、例えば、配電盤の配線ダクト等に収納された各配線の電流を測定する場合であっても、従来のクランプ式電流センサやＵ字型電流センサを使用するときほど、配線ダクト等から配線を引っ張り出す必要がない。このように、本発明に係る電流測定装置は、配線ダクト等から被測定導体を引っ張り出す作業を軽減または不要とすることができ、電流の測定作業を容易に進めることができる。また、被測定導体を引っ張り出すためのスペースを確保する必要もない。
【００１０】
本発明に係る電流測定装置で、電流測定用磁電変換素子は、例えば、ホール素子から成る。また、電流測定用磁電変換素子は、各挟持部のいずれか一方に設けられていてもよいが、被測定導体に隣接する導体を流れる電流の影響を抑制するためには、双方の挟持部に設けられていることが好ましい。
【００１１】
本発明に係る電流測定装置は、互いの距離に応じて、各挟持部の距離を変更可能に設けられた１対の把持部を有し、各挟持部は閉まる方向に付勢されており、前記距離測定部は、前記物理量として、各把持部の距離に対応する物理量を測定可能に設けられていることが好ましい。この場合、各把持部の距離と各挟持部の距離との間に相関があるため、各挟持部の距離に対応する物理量として、各把持部の距離に対応する物理量を測定することができる。各把持部の距離に対応する物理量を測定することにより、その測定が各挟持部での電流測定に悪影響を及ぼすのを防ぐことができる。各挟持部が閉まる方向に付勢されているため、測定時に各挟持部で被測定導体をしっかりと挟むことができる。各挟持部および各把持部は、例えば、先端部で対象物を挟むように構成された挟持用のクリップの、それぞれ先端部および操作部から成っていてもよい。
【００１２】
本発明に係る電流測定装置で、距離測定部は、各挟持部または各把持部の距離に対応する物理量を測定可能であれば、いかなる構成から成っていてもよい。距離測定部は、例えば、一方の把持部に設けられた磁石と、前記磁石による磁界を検出可能に他方の把持部に設けられた距離測定用磁電変換素子とを有していてもよく、歯車にポテンショメータを連結した機械方式のものから成っていてもよい。磁石と距離測定用磁電変換素子とを有する構成の場合、特に簡単な構成で、容易に各把持部の距離に対応する物理量を測定することができる。また、磁石が把持部に設けられているため、その磁石の磁界が挟持部に設けられた電流測定用磁電変換素子に与える影響をほとんど無視することができる。
【００１３】
本発明に係る電流測定装置で、前記電流計算手段は、例えば、前記電流測定用磁電変換素子で検出された磁界に基づいて求めた電流値を、前記距離測定部で測定された前記物理量に基づいて求めた補正値で補正することにより、前記被測定導体を流れる電流を求めるよう構成されていてもよい。
【発明の効果】
【００１４】
本発明によれば、配線ダクト等から被測定導体を引っ張り出す作業を軽減または不要とすることができ、電流の測定作業を容易に進めることができる電流測定装置を提供することができる。
【図面の簡単な説明】
【００１５】
【図１】本発明の実施の形態の電流測定装置を示す（ａ）斜視図、（ｂ）測定クリップの内部構造を透視した側面図である。
【図２】図１に示す電流測定装置の、各電流測定用磁電変換素子の測定時の使用状態を示す（ａ）正面図、（ｂ）側面図である。
【図３】図１に示す電流測定装置の、距離測定部による補正の効果を調べる試験の試験装置の構成を示すブロック図である。
【図４】図３に示す試験装置の、増幅器（Ａｍｐ）の回路図である。
【図５】図３に示す試験装置による試験で求められた、通電電流と測定クリップで測定された電流信号電圧との関係を示すグラフである。
【図６】図３に示す試験装置による試験で求められた、補正前の誤差と距離測定部で測定された各被測定導体のサイズ補正信号電圧との関係を示すグラフである。
【図７】図３に示す試験装置による試験で求められた、補正後の誤差と通電電流との関係を示すグラフである。
【発明を実施するための形態】
【００１６】
以下、図面に基づき、本発明の実施の形態について説明する。
図１乃至図７は、本発明の実施の形態の電流測定装置１０を示している。
図１に示すように、電流測定装置１０は、測定クリップ１１と１対の電流測定用磁電変換素子１２と距離測定部１３とケーシング１４と電流計算手段１５とを有している。
【００１７】
測定クリップ１１は、先端側に１対の挟持部１１ａを有し、後端側に１対の把持部１１ｂを有し、各挟持部１１ａの間に被測定導体を挟むように構成された挟持用のクリップから成っている。測定クリップ１１は、ねじりコイルばね１１ｃにより、各把持部１１ｂが開く方向に付勢されており、これにより各挟持部１１ａが閉まる方向に付勢されている。測定クリップ１１は、各把持部１１ｂを摘んで、ねじりコイルばね１１ｃの付勢力に抗して閉じる方向に動かすことにより、各挟持部１１ａが開くようになっている。測定クリップ１１は、各把持部１１ｂの距離に応じて、各挟持部１１ａの距離を変更可能になっている。
【００１８】
各電流測定用磁電変換素子１２は、ホール素子から成り、それぞれ各挟持部１１ａの先端に取り付けられている。図２に示すように、各電流測定用磁電変換素子１２は、各挟持部１１ａの先端間に被測定導体１を挟んだとき、被測定導体１を流れる電流により発生する磁界を検出可能になっている。
【００１９】
図１（ｂ）に示すように、距離測定部１３は、一方の把持部１１ｂに設けられた永久磁石１３ａと、他方の把持部１１ｂに設けられた距離測定用磁電変換素子１３ｂとを有している。永久磁石１３ａおよび距離測定用磁電変換素子１３ｂは、それぞれの把持部１１ｂの内側の互いに対向する位置に取り付けられている。距離測定用磁電変換素子１３ｂは、ホール素子から成り、永久磁石１３ａによる磁界を検出可能に設けられている。距離測定部１３は、各把持部１１ｂの距離が変化したとき、永久磁石１３ａとの距離の変化を距離測定用磁電変換素子１３ｂで検出することにより、各把持部１１ｂの距離に対応する物理量、すなわち、それと相関する各挟持部１１ａの距離に対応する物理量を測定可能になっている。
【００２０】
図１に示すように、ケーシング１４は、細長い矩形状の箱体から成り、一端部が測定クリップ１１の後端側に取り付けられている。電流測定装置１０は、ケーシング１４を握った状態で、測定クリップ１１の各把持部１１ｂを操作可能に構成されている。
【００２１】
電流計算手段１５は、コンピュータから成り、ケーシング１４に内蔵されている。電流計算手段１５は、各電流測定用磁電変換素子１２および距離測定用磁電変換素子１３ｂからの信号を受信可能に、それらに電気的に接続されている。電流計算手段１５は、各挟持部１１ａで被測定導体１を挟んだとき、各電流測定用磁電変換素子１２で検出された磁界および、距離測定部１３で測定された各挟持部１１ａの距離に対応する物理量に基づいて、被測定導体１を流れる電流を求めるよう構成されている。
【００２２】
なお、電流測定装置１０は、ケーシング１４の側面に、電流計算手段１５で求められた電流値を表示する表示手段を有していてもよい。
【００２３】
次に、作用について説明する。
電流測定装置１０は、各挟持部１１ａで被測定導体１を挟むことにより、被測定導体１を流れる電流を測定することができる。電流測定装置１０は、各挟持部１１ａで被測定導体１を挟んだとき、各挟持部１１ａにそれぞれ設けられた各電流測定用磁電変換素子１２により、被測定導体１を流れる電流により発生する磁界を検出することができる。しかしこのとき、通常の測定対象となる電線のように被覆された被測定導体１では、導体の太さや被覆の厚みが異なるため、その導体の太さや被覆の厚みに応じて、被測定導体１と各電流測定用磁電変換素子１２との距離が変化する。この距離の変化のため、検出される磁界の強さが変化してしまう。そこで、電流測定装置１０は、距離測定部１３により、被測定導体１の被覆等の厚みに応じて変化する、各挟持部１１ａの距離に対応する物理量を測定する。また、電流測定装置１０は、その測定された物理量に基づいて、電流計算手段１５により、各電流測定用磁電変換素子１２で検出した磁界から求められる電流値等を補正する。これにより、電流測定装置１０は、被測定導体１を流れる電流を精度良く求めることができる。
【００２４】
電流測定装置１０は、各挟持部１１ａで被測定導体１を挟むだけで、被測定導体１を流れる電流を測定することができる。このため、例えば、被測定導体１として配電盤の配線ダクト等に収納された各配線の電流を測定する場合であっても、従来のクランプ式電流センサやＵ字型電流センサを使用するときほど、配線ダクト等から配線を引っ張り出す必要がない。このように、電流測定装置１０は、配線ダクト等から被測定導体１を引っ張り出す作業を軽減または不要とすることができ、電流の測定作業を容易に進めることができる。また、被測定導体１を引っ張り出すためのスペースを確保する必要もない。電流測定装置１０は、特に端子台に接続された電線の電流を測定するのに有効である。また、配電盤の端子台での電流測定が可能となるため、測定対象となる電線の特定も容易となる。
【００２５】
電流測定装置１０は、電流測定用磁電変換素子１２が双方の各挟持部１１ａに設けられているため、例えば導体が密集している場合でも、被測定導体１に隣接する導体を流れる電流の影響を抑制することができる。また、電流測定装置１０は、各把持部１１ｂに距離測定部１３の永久磁石１３ａおよび距離測定用磁電変換素子１３ｂが設けられているため、永久磁石１３ａが各電流測定用磁電変換素子１２による被測定導体１による磁界の検出に影響を及ぼしたり、被測定導体１による磁界が距離測定用磁電変換素子１３ｂによる永久磁石１３ａの磁界の検出に影響を及ぼしたりするのを防ぐことができる。また、電流測定装置１０は、ねじりコイルばね１１ｃにより各挟持部１１ａが閉まる方向に付勢されているため、測定時に各挟持部１１ａで被測定導体１をしっかりと挟むことができる。
【実施例１】
【００２６】
電流測定装置１０の測定クリップ１１および距離測定部１３により測定を行い、測定クリップ１１で測定された電流値に対する距離測定部１３による補正の効果を調べる試験を行った。なお、本試験は、測定精度の確認等を行うための試験であるため、電流計算手段１５を設けず、増幅器やデータロガーを用いた簡易な構成でデータの測定を行い、得られたデータをパーソナルコンピュータの表計算ソフトで解析している。
【００２７】
試験では、図３に示すように、電流を流した被測定導体１を、測定クリップ１１の各挟持部１１ａで挟んで測定を行った。このとき、測定クリップ１１による測定信号（電圧値）および距離測定部１３による測定信号（電圧値）を、増幅器（Ａｍｐ）２１で増幅した後、それぞれ電流信号電圧およびサイズ補正信号電圧としてデータロガー２２に送り、デジタルデータにして保存した。増幅器２１の回路図を図４に示す。また、被測定導体１を流れる電流を直接、データロガー２２で測定し、通電電流としてデジタルデータにして保存した。
【００２８】
試験では、被測定導体１に流す電流は直流電流とし、２〜１０Ａの範囲で変化させた。また、データロガー２２のサンプリング・インターバルは、１ｍｓｅｃとした。試験には、被測定導体１として、表１に示すNo.1〜6の６種類の電線を使用した。
【００２９】
【表１】
2018146406.tif 000003
【００３０】
まず、No.3の電線（ＫＩＶ  3.5mm2）について、通電電流と測定クリップ１１で測定された電流信号電圧との関係を求め、図５に示す。図５に示すように、通電電流と電流信号電圧との関係は直線で表され、ホール素子から成る電流測定用磁電変換素子１２の直線性が良好であることが確認された。図５の場合、電流信号電圧をｘ、通電電流をｙとしたときの回帰直線は、
ｙ＝ 7.1305ｘ − 0.0027                                （１）
となる。
【００３１】
次に、No.1〜6の電線について、各通電電流で測定された電流信号電圧ｘを、（１）式を用いて電流値に換算し、その換算電流の通電電流に対する誤差（補正前の誤差）を求めた。求められた誤差と、距離測定部１３で測定された各電線No.1〜6のサイズ補正信号電圧との関係を求め、図６に示す。図６に示すように、換算電流と通電電流との間には、約±２０％の誤差が生じることが確認された。図６の場合、サイズ補正信号電圧をＸ、誤差をＹ（割合）としたときの回帰曲線は、
Ｙ＝ 1.9173Ｘ2 − 4.109Ｘ ＋ 1.9842                      （２）
となる。
【００３２】
（１）式および（２）式から、被測定導体１を流れる電流Ｉを計算する式として、以下の（３）式が得られる。この（３）式では、電流信号電圧ｘから求めた換算電流を、サイズ補正信号電圧Ｘを用いて補正することにより、電流Ｉを計算している。
【数１】
2018146406.tif 000004
【００３３】
No.1〜3,5,6の電線について、各通電電流で測定された電流信号電圧ｘから、（３）式を用いて電流Ｉを求め、さらにその電流Ｉの通電電流に対する誤差（補正後の誤差）を求め、図７に示す。図７に示すように、求められた電流Ｉと通電電流との間の誤差は、±２％以下となっていることが確認された。このことから、電流測定装置１０は、被測定導体１を流れる電流を精度良く求めることができるといえる。
【００３４】
なお、この試験では、距離測定部１３による補正の効果を調べるために、増幅器２１やデータロガー２２を別途に設けたが、これらの機器の機能や（３）式による計算などの機能を電流計算手段１５に組み込むことにより、電流測定装置１０を構成することができる。また、使用する部材等により（３）式の形や係数等が変化するため、あらかじめ（３）式と同様の計算式を求めておき、電流計算手段１５に組み込むことにより、高精度の電流測定装置１０を構成することができる。
【符号の説明】
【００３５】
１  被測定導体
１０  電流測定装置
１１  測定クリップ
１１ａ  挟持部
１１ｂ  把持部
１１ｃ  ねじりコイルばね
１２  電流測定用磁電変換素子
１３  距離測定部
１３ａ  永久磁石
１３ｂ  距離測定用磁電変換素子
１４  ケーシング
１５  電流計算手段
２１  増幅器
２２  データロガー
【図１】
2018146406.tif 000005
【図２】
2018146406.tif 000006
【図３】
2018146406.tif 000007
【図４】
2018146406.tif 000008
【図５】
2018146406.tif 000009
【図６】
2018146406.tif 000010
【図７】
2018146406.tif 000011